(57)【要約】【課題】  低コスト化、小型化及び省電力化に適したデジタルカメラ用光量調節装置を提供すること。【解決手段】    最大露出開口を規制する地板と，該最大露出開口部から退避した開位置と該最大露出開口部を覆う閉位置との間で移動するシャッタ羽根と，該最大露出開口部を通過する光量を調節する光量調節部材と，該シャッタ羽根の開閉を行うロータを備えるアクチュエータと，該ロータと一体的に回動し，該シャッタ羽根の開き動作時の該ロータ回転始めにはロータに対して相対的な第１の姿勢であり，回転終わりには第２の姿勢に切り換わり，また該シャッタ羽根の閉じ動作時の該ロータの回転始めには第２の姿勢であり回転終わりには第１の姿勢に切り換わる駆動レバーと，該駆動レバーが第１の姿勢から第２の姿勢に切り換わる際にのみ該駆動レバーと連動して該光量調節部材の該最大露出開口部への進入或いは退避動作を行う光量調節部材駆動手段とを備えたことを特徴とする光量調節装置。【選択図】  図１
2005141101.tif 000002
【特許請求の範囲】
【請求項１】
最大露出開口を規制する地板と，該最大露出開口部から退避した開位置と該最大露出開口部を覆う閉位置との間で移動するシャッタ羽根と，該最大露出開口部を通過する光量を調節する光量調節部材と，該シャッタ羽根の開閉を行うロータを備えるアクチュエータと，該ロータと一体的に回動し，該シャッタ羽根の開き動作時の該ロータ回転始めにはロータに対して相対的な第１の姿勢であり，回転終わりには第２の姿勢に切り換わり，また該シャッタ羽根の閉じ動作時の該ロータの回転始めには第２の姿勢であり回転終わりには第１の姿勢に切り換わる駆動レバーと，該駆動レバーが第１の姿勢から第２の姿勢に切り換わる際にのみ該駆動レバーと連動して該光量調節部材の該最大露出開口部への進入或いは退避動作を行う光量調節部材駆動手段とを備えたことを特徴とする光量調節装置。
【請求項２】
最大露出開口を規制する地板と，該最大露出開口部から退避した開位置と該最大露出開口部を覆う閉位置との間で移動するシャッタ羽根と，該最大露出開口部を通過する光量を調節する光量調節部材と，該シャッタ羽根の開閉を行うアクチュエータと，該アクチュエータのロータと一体的に回動し，該シャッタ羽根の開き動作時の該ロータ回転始めにはロータに対して相対的な第１の姿勢であり，回転終わりには第２の姿勢に切り換わり，また該シャッタ羽根の閉じ動作時の該ロータの回転始めには第２の姿勢であり回転終わりには第１の姿勢に切り換わる駆動レバーと，該駆動レバーが第１の姿勢で該ロータが該シャッタ羽根開き方向に回転する時に連動して該光量調節部材の該最大露出開口部への進入或いは退避動作を行い，該ロータが逆回転して該駆動レバーが第２の姿勢から第１の姿勢に切り換わる時には該駆動レバーとは当接しない光量調節部材駆動手段とを備えたことを特徴とする光量調節装置。
【請求項３】
前記駆動レバーは前記ロータ上で回転可能に支持され，回転軸と垂直方向に伸びる第１の突起部と，同じく回転軸と垂直方向に伸びる第２の突起部と，同じく回転軸と垂直方向に伸びる第３の突起部とを有し，該第１と第２の突起部は互いに軸方向高さを違えて設けられ，該第３の突起部は前記光量調節部材駆動手段と係合可能な高さ位置に設けられ，前記地板には該駆動レバーが該ロータ上で回転する際，該駆動レバーの第１の突起部とは当接し該駆動レバーの第２の突起部とは当接しない位置に設けられた第１の突部と，該駆動レバーの第２の突起部と当接し該駆動レバーの第１の突起部とは当接しない位置に設けられた第２の突部とを有することを特徴とする請求項１または２に記載の光量調節装置。
【請求項４】
前記駆動レバーは前記ロータ上で回転可能に支持され，回転軸と垂直方向に伸びる第１の突起部と，同じく回転軸と垂直方向に伸びる第２の突起部からなり，該第１と第２の突起部は互いに軸方向高さを違え，第１または第２の突起部の一方は前記光量調節部材駆動手段と係合可能な高さ位置に設けられ，前記地板は該駆動レバーが該ロータと一体的に回動する際，該駆動レバーの第１の突起部と当接し該駆動レバーの第２の突起部とは当接しない位置に設けられた第１の突部と，該駆動レバーの第２の突起部と当接し該駆動レバーの第１の突起部とは当接しない位置に設けられた第２の突部とを有することを特徴とする請求項１または２に記載の光量調節装置。
【請求項５】
前記光量調節部材駆動手段を所定の回転位置で係止するように係止部材を備える請求項１または２に記載の光量調節装置。
【請求項６】
前記光量調節部材駆動手段には前記駆動レバーが当接することで回転力が伝達される回転カムを有し，該回転カムは前記係止部材による係合部が設けられることを特徴とする請求項５に記載の光量調節装置。
【請求項７】
前記光量調節部材駆動手段は，前記駆動レバーが当接する回転カムと，該回転カムに連動する光量調節部材駆動カムと，該光量調節部材駆動カムに当接し光量調節部材を駆動する光量調節部材駆動レバーで構成されることを特徴とする請求項１または２に記載の光量調節装置。
【請求項８】
前記光量調節部材駆動カムの回転により，前記光量調節部材駆動レバーは光量調節部材が前記最大露出開口部へ進入する第１の位置と，光量調節部材が該最大露出開口部から退避する第２の位置とに交互に駆動されることを特徴とする請求項７に記載の光量調節装置。
【請求項９】
前記回転カムと，該回転カムに連動する前記光量調節部材駆動カムとは同軸上に設けられることを特徴とする請求項７に記載の光量調節装置。
【請求項１０】
前記回転カムと前記光量調節部材駆動カムとは一体で形成されることを特徴とする請求項７に記載の光量調節装置。
【請求項１１】
前記アクチュエータは，円筒形状に形成されるとともに少なくとも外周面が周方向に分割して異なる極に交互に着磁され回転中心を中心として回転可能なマグネットと，該マグネットの軸方向に配置されたコイルと，前記コイルにより励磁され前記マグネットの外周面に対向する外側磁極部と，前記コイルにより励磁され前記マグネットの内周面に対向する内側磁極部で構成されることを特徴とする請求項１または２に記載の光量調節装置。
【請求項１２】
前記マグネットの周方向に分割されて着磁されている極数をｎ，該マグネットの外形寸法をＤ１，該マグネットの内径寸法をＤ２，該マグネットの外周面に対向する外側磁極部は櫛刃形状であり該マグネットの外周面に（７２０／ｎ）度の整数倍の角度で等分配置されて各々が所定の角度Ａ度だけ対向するものであって，
Ａ＜（２４８．４／ｎ）−５８．８６×（Ｄ１−Ｄ２）／（Ｄ１×π）
と設定されていることを特徴とする前記アクチュエータを備えた請求項１１に記載の光量調節装置。
【発明の詳細な説明】
【技術分野】
【０００１】
本発明は，小型に構成したシャッタ羽根と光量調節部材とを備える光量調節装置に関する。
【背景技術】
【０００２】
従来，デジタルカメラはメカニカルシャッタと電子シャッタを備え，撮像素子にCCDなどを用い，被写界像を光電変換して記録媒体に静止画像の情報として記録する。撮影に先立って主電源投入され撮像素子が動作状態になると，シャッタ羽根は撮像素子に露光可能な開位置に保持される。
【０００３】
撮像素子は電荷の蓄積と放出転送を繰り返し，画像モニタによって被写界の観察が可能になる。レリーズボタンが押されると，その時点での撮像素子の出力に応じて絞り値と露出時間が決定され，それに基づいて露光開口の口径を絞る必要がある場合には，まず光量調節部材を駆動し所定の絞り値にセットする。
【０００４】
次に，蓄積電荷の放出されている撮像素子に対して電荷の蓄積を開始させ，それと同時にその蓄積開始信号をトリガー信号として露光時間制御回路が起動し（電子シャッタ），所定の露出時間が経過したことを計時したら，シャッタ羽根を撮像素子への露光をさえぎる閉位置へと駆動する（メカニカルシャッタ）。撮像素子への露光がさえぎられた後，蓄積された電荷の転送が行われ，画像書きこみ装置を介して記録媒体に画像情報が記録される。電荷転送中に撮像素子への露光を防ぐのは，電荷の転送中に余分な光によって電荷が変化してしまうことを防ぐためである。
【０００５】
従来，シャッタ羽根と光量調節部材はそれぞれ別々のアクチュエータを用いて駆動を行うことが多い。また，シャッタ羽根と光量調節部材を一つのアクチュエータを用いて駆動を行うものとして，例えば以下の特許文献１、特許文献２などがある。これらは正逆回転可能なアクチュエータを用いて所定方向移動時に光量調節装置の駆動を行い，その状態で光量調節部材を係止しておいて，アクチュエータをさらに移動あるいは逆方向移動することによってシャッタ羽根の閉じ動作を行うようにしたものである。
【特許文献１】特開平１０−０２０３６１号公報
【特許文献２】特開２００１−１１７１３５号公報
【発明の開示】
【発明が解決しようとする課題】
【０００６】
しかしながら，２つの駆動を一つのアクチュエータで行う上記の構成ではシャッタ羽根閉じ動作時には光量調節部材は係止されており駆動しないが，ラチェットや係止部材などによって回転力を光量調節部材に伝えていないだけで，アクチュエータのロータは動力を伝えている。そのため，シャッタ羽根閉じ動作時におけるアクチュエータトルクの損失は免れず，シャッタ羽根閉じ速度はシャッタ羽根のみを駆動する場合に比べて遅くなる。
【０００７】
シャッタ羽根閉じ速度の高速化のためにはトルクの大きなアクチュエータを用いるしかなく，この場合アクチュエータの小型化，省電力化の妨げとなる。
【０００８】
また，シャッタ羽根と光量調節装置をそれぞれ別のアクチュエータを用いた場合，そのもののコストが高いアクチュエータが２つ必要なほか，アクチュエータを駆動する駆動回路も２つ必要となり，またコンパクト性も損ねるという欠点がある。
【０００９】
本出願に係る発明の目的は，シャッタ羽根の開閉駆動と光量調節部材の駆動を一つのアクチュエータで行うとともにシャッタ羽根閉じ速度の高速化を図り，低コスト化，小型化，省電力化に適した光量調節装置を提供することである。
【課題を解決するための手段】
【００１０】
上記目的を達成するために，請求項１記載の本発明は，最大露出開口を規制する地板と，該最大露出開口部から退避した開位置と該最大露出開口部を覆う閉位置との間で移動するシャッタ羽根と，該最大露出開口部を通過する光量を調節する光量調節部材と，該シャッタ羽根の開閉を行うアクチュエータと，該アクチュエータのロータと一体的に回動し，該シャッタ羽根の開き動作時の該ロータ回転始めにはロータに対して相対的な第１の姿勢であり回転終わりには第２の姿勢に切り換わり，また該シャッタ羽根の閉じ動作時の該ロータの回転始めには第２の姿勢であり回転終わりには第１の姿勢に切り換わる駆動レバーと，該駆動レバーが第１の姿勢から第２の姿勢に切り換わる際にのみ該駆動レバーと連動して該光量調節部材の該最大露出開口への進入或いは退避動作を行う光量調節部材駆動手段とを備えたことを特徴とする光量調節装置とするものである。
【００１１】
また，上記目的を達成するために，請求項２記載の本発明は，最大露出開口を規制する地板と，該最大露出開口部から退避した開位置と該最大露出開口を覆う閉位置との間で移動するシャッタ羽根と，該最大露出開口部を通過する光量を調節する光量調節部材と，該シャッタ羽根の開閉を行うアクチュエータと，該アクチュエータのロータと一体的に回動し，該シャッタ羽根の開き動作時の該ロータ回転始めには第１の姿勢であり回転終わりには第２の姿勢に切り換わり，また該シャッタ羽根の閉じ動作時の該ロータの回転始めには第２の姿勢であり回転終わりには第１の姿勢に切り換わる駆動レバーと，該駆動レバーが第１の姿勢で該ロータが該シャッタ羽根開き方向に回転する時に連動して該光量調節部材の露出開口への進入或いは退避動作を行い，該ロータが逆回転して該駆動レバーが第２の姿勢から第１の姿勢に切り換わる時には該駆動レバーとは当接しない光量調節部材駆動手段とを備えたことを特徴とする光量調節装置とすることである。
【００１２】
また，上記目的を達成するために，請求項３記載の本発明は，前記駆動レバーは前記ロータと一体的に回転可能に支持され，回転軸と垂直方向に伸びる第１の突起部と，同じく回転軸と垂直方向に伸びる第２の突起部と，同じく回転軸と垂直方向に伸びる第３の突起部とを有し，該第１と第２の突起部は互いに軸方向高さを違えて設けられ，該第３の突起部は前記光量調節部材駆動手段と係合可能な高さ位置に設けられ，前記地板には該駆動レバーが該ロータと一体的に回動する際，該駆動レバーの第１の突起部とは当接し該駆動レバーの第２の突起部とは当接しない位置に設けられた第１の突部と，該駆動レバーの第２の突起部と当接し該駆動レバーの第１の突起部とは当接しない位置に設けられた第２の突部とを有することを特徴とする光量調節装置とすることである。
【００１３】
また，上記目的を達成するために，請求項４に記載の本発明は，前記駆動レバーは前記ロータ上で回転可能に支持され，回転軸と垂直方向に伸びる第１の突起部と，同じく回転軸と垂直方向に伸びる第２の突起部からなり，該第１と第２の突起部は互いに軸方向高さを違え，第１または第２の突起部の一方は前記光量調節部材駆動部材と係合可能な高さ位置に設けられ，前記地板は該駆動レバーが該ロータ上で回動する際，該駆動レバーの第１の突起部と当接し該駆動レバーの第２の突起部とは当接しない位置に設けられた第１の突部と，該駆動レバーの第２の突起部と当接し該駆動レバーの第１の突起部とは当接しない位置に設けられた第２の突部とを有することを特徴とする光量調節装置とすることである。
これら，請求項１または２及び，請求項３または４に記載の光量調節装置の構成においては，アクチュエータのロータと一体的に回動する駆動レバーが，シャッタ羽根開き動作時には光量調節部材駆動手段の駆動を行い，シャッタ羽根閉じ動作時には光量調節部材駆動手段の駆動を行わないだけでなく，該駆動レバーがシャッタ羽根閉じ動作時には光量調節部材駆動手段に接触することなくフリーな状態で回動を行うようにし，光量調節部材駆動手段には動力を伝えないことで，シャッタ羽根閉じ動作時の光量調節部材駆動手段にかかるアクチュエータトルクの消費をできるだけなくすことができ，シャッタ羽根閉じ速度の高速化を図る光量調節装置を提供することができる。
【発明の効果】
【００１４】
以上の説明のように，本発明は一つの正逆回転可能なアクチュエータを用いてシャッタ羽根と光量調節部材の両方を駆動を行い，最大露出開口部によって規制される最大開口部による撮影と，光量調節部材によって規制される開口部による撮影とを行えるようにしたものである。
【００１５】
本出願に係る第１および第２の発明によれば，シャッタ羽根の動作と光量調節部材の動作を１つのアクチュエータで行い，アクチュエータの正回転でシャッタ羽根の開動作，逆回転でシャッタ羽根の閉動作を行う光量調節装置であるとき，光量調節部材の繰り入れおよび繰り出し動作を正回転時にのみ行い，かつ逆回転時には光量調節部材駆動手段には当接しない光量調節装置とすることによって，シャッタ閉動作時におけるアクチュエータトルクの無駄な消費をできるだけ抑え，それによりシャッタ羽根閉じ速度を高速にするという効果がある。
【００１６】
また，本出願に係る第１の発明によれば，駆動レバーがアクチュエータのロータと一体的に回動し，地板の突部に当接して回転する際に光量調節部材駆動手段を駆動する。このことから駆動レバーはアクチュエータの回転の最後で光量調節部材駆動手段に当接し，つまりアクチュエータの回転力が大きい時に光量調節部材駆動手段を駆動することができ，比較的小さいトルクのアクチュエータでも光量調節部材を駆動することができるものである。
【００１７】
また，本出願に係る第２の発明によれば，駆動レバーがアクチュエータのロータとともに回動し，地板の突部に当接するまでの間で光量調節部材駆動手段を駆動する。このことから駆動レバーが光量調節部材駆動手段を駆動するストロークを長くとることができ，光量調節部材駆動手段の形状と設置位置の自由度を増すことができる。
【００１８】
また，本出願に係る請求項３および４に記載の発明によれば，駆動レバーの動きを制御している駆動レバーの２つの突起部と，地板の２つの突部を駆動レバー回転軸方向の高さを違えて設けたことにより，アクチュエータの軸方向高さを有効に利用し光量調節装置の径方向の大きさをできるだけ小さくすることができ，駆動レバーおよび地板の形状をコンパクトにできるものである。
【００１９】
また，本出願に係る請求項３に記載の発明によれば，駆動レバーの光量調節部材駆動手段への当接は回転軸に垂直方向の第３の突起部により行う。このことより光量調節部材駆動手段を比較的自由な位置に設けることが可能となり，スペースの有効利用および省スペース化になるものである。
【００２０】
また，本出願に係る請求項４に記載に発明によれば，駆動レバーにおいて，光量調節部材駆動手段を駆動する突起部と駆動レバーの動きを制御する２つの突起部とを兼用することによって駆動レバー構造のコンパクト化が図れる。
【００２１】
また，本出願に係る請求項５に記載の発明によれば，駆動レバーが光量調節部材駆動手段への非接触時に光量調節部材駆動手段を安定的に保持し，したがって光量調節部材を最大露出開口部への進入位置あるいは退避位置に安定的に保持することができる。
【００２２】
また，本出願に係る請求項６に記載の発明によれば，光量調節部材駆動手段は駆動レバーが当接して回転力が伝達される回転カムが該回転カムを安定的に保持する係止部材による係止にも用いることで，部品点数の削減とコンパクト化となるものである。
【００２３】
また，本出願に係る請求項７に記載の発明によれば，駆動レバーの駆動による光量調節部材駆動手段の一方向の回転に対して光量調節部材の進退動作を行えるように，回転カムと光量調節部材駆動カムと光量調節装置駆動レバーからなる。この場合駆動レバーの光量調節部材駆動手段への駆動量が少なくても，光量調節部材の進退移動が可能になり，光量調節部材のコンパクト化とアクチュエータの省エネルギ化となる。
【００２４】
また，本出願に係る請求項８に記載の発明によれば，光量調節部材駆動手段の一方向の回転力を光量調節部材の進退動作にスムーズに変換することができるものである。
【００２５】
また，本出願に係る請求項９に記載の発明によれば，回転カムと光量調節部材駆動カムの２つの部品を同軸に設けることによりコンパクト化が図れる。
【００２６】
また，本出願に係る請求項１０に記載の発明によれば，回転カムと光量調節部材駆動カムを一体で形成することにより，コンパクト化と部品点数削減によるコストダウンが図れる。
【００２７】
また，本出願に係る請求項１１に記載の発明によれば，アクチュエータの外径はマグネットの外周面に対向する外側磁極部で決められ，アクチュエータの内径はマグネットの内周面に対向する内側磁極部で決められ，アクチュエータの軸方向高さはコイル，マグネットを順に配置することで決められる。このため，アクチュエータの大きさはマグネット及びコイルの径と高さによって決まるもので，マグネット及びコイルの径と高さをそれぞれ非常に小さくすれば，アクチュエータを非常に小型化することができるものである。また，コイルにより発生する磁束は外側磁極部と内側磁極部との間にあるマグネットを横切るので効果的に作用する。
【００２８】
また，本出願に係る請求項１１に記載の発明によれば，マグネットの外周面に対向する外側磁極部の櫛歯形状の各対向角をＡ度，マグネットの着磁分割数をｎ，マグネットの外径寸法をD１，マグネットの内径寸法をD2とすると，A＜（２４８。４／ｎ）−５８。８６×（D1−D2）／（D1×π）  と設定したことで，コイルへの無通電時において，マグネットに着磁された極の中心が外側磁極部の櫛歯の中心に対向する位置で安定的に保持される。
【発明を実施するための最良の形態】
【００２９】
以下，本発明を図示の実施の形態に基づいて詳細に説明する。図１から図８は，本発明の第１の実施例の光量調節装置を，図９は第２の実施例を，図１０は第３の実施例を，図１１は第４の実施例を，図１２から図１３は第５の実施例を示す図であり，図１４から図１７は本実施例で用いたアクチュエータに関する図である。
【実施例１】
【００３０】
図１は本発明の第１の実施例の光量調節装置の全体斜視図であり，図２は図１の光量調節装置の分解斜視図であり，図３は光量調節装置の一部をシャッタ羽根方向から見た図であり，図４から図８は光量調節装置の１ウェイクラッチ部分の詳細説明図であり，図１４から図１７はアクチュエータの詳細説明図である。
【００３１】
これらの図において１０１から１０５は正逆回転可能なアクチュエータ１であり，１０５はアクチュエータ１を構成するマグネット１０４に接着等により固定したロータであり，８，９はシャッタ羽根であり，１１は請求項の光量調節部材にあたるＮＤフィルタであり，２は最大露出開口部２ａをもつ地板であり，３は軸押さえであり，４はロータ１０５に設けられた腕部１０５ａの軸１０５ｂに回転可能に嵌合した駆動レバーであり，５は駆動レバー４によって回転される回転カムであり，６は回転カム５のカム部５ａに当接し回転カム５の回転を係止する係止部材であり，７は回転カム５のカム部５ｂに連動しＮＤフィルタ１１を駆動するための出力ピン７ａを持った光量調節部材駆動レバーであり，１０はシャッタ羽根８，９の押さえとなるフィルタであり，１２は羽根押さえである。
【００３２】
アクチュエータ１は図２に示すようにステータ１０１，コイル１０２，ボビン１０３，マグネット１０４，ロータ１０５から構成される。図１４はアクチュエータ部分の断面図であり，図１５はマグネットの着磁の様子およびマグネットの回転動作図である。図１５に示すように該マグネット１０４はその外周表面を円周方向にｎ分割（本実施例では１４分割）して，Ｓ極，Ｎ極が交互に着磁された着磁部１０４ａを有する。またマグネット１０４は，腕部１０５ａと二つのピン１０５ｆ，１０５ｇをもつロータ１０５を接着等で固定される。該ロータ１０５の嵌合部１０５ｅは後述の地板２の嵌合部２ｉの内側嵌合部に摺動可能に嵌合して回転可能に支持される。
【００３３】
１０２は円筒形状のコイルであり，絶縁材料からなるボビン１０３に巻きつけられている。該コイル１０２は該マグネット１０４と同心でかつ，該マグネット１０４の軸方向に並んで配置され，その外径は該マグネット１０４の外径とほぼ同じ寸法となっている。
【００３４】
１０１は軟磁性材料からなるステータであり，外筒および内筒とそれらを結ぶ連結部とで構成される。該ステータ１０１の外筒はその先端部が軸方向に延出する複数の歯，すなわち櫛歯形状によって構成される。この軸方向に延出する歯の数はマグネットの着磁分割数ｎの１／２にて形成され（本実施例では７つ），これらが外側磁極を形成している。該外側磁極１０１ａは円周方向に７２０／ｎ度（本実施例では５１．４度）ずつ等分配置されて形成される。
【００３５】
また，該ステータの内筒は中空柱形状により構成され，内側磁極を形成している。この構成によりアクチュエータの直径を最小限にしつつ磁極の形成が可能になる。すなわち外側磁極を半径方向に延びる凹凸で形成すると，その分のアクチュエータの直径は大きくなってしまうが，本実施例では軸方向に延出する櫛歯形状により外側磁極１０１ａを形成しているので，アクチュエータ１の直径を最小限に抑えることができる。
【００３６】
ステータ１０１の外側磁極１０１ａ及び内側磁極１０１ｂの間にコイル１０２およびボビン１０３が接着等により固定され，コイル１０２に通電されることによりステータ１０１が励磁される。
【００３７】
ステータ１０１の外側磁極１０１ａおよび内側磁極１０１ｂはマグネット１０４の着磁部の外周面及び内周面に対向してマグネット１０４の着磁部を所定の隙間を持って挟み込むように設けられる。よってコイル１０２により発生する磁束は外側磁極１０１ａおよび内側磁極１０１ｂとの間にあるマグネット１０４を横切るので，マグネット１０４に効果的に作用し，アクチュエータの出力を高める。
【００３８】
前記地板２の嵌合部２ｉの内側嵌合部に前記ロータ１０５の嵌合部１０５ｅが嵌合し，ロータ１０５に固定されるマグネット１０４は回転可能となる。また地板２の嵌合部２ｉの外側嵌合部にはステータ１０１の外側磁極１０１ａの内径部が嵌合して接着等により固定される。地板２には突部２ｊ，２ｋを設け，ロータ１０５の腕部１０５ａがこの間に挟まるように設置し，ロータ１０５の回転の際この腕部１０５ａが突部２ｊ，２ｋに当接することによって，ロータ１０５の回転がα度に規制されるようになっている。
【００３９】
図１５（ａ）はロータ１０５の腕部１０５ａが地板２の突部２ｊに当接している状態であり，図１５（ｂ）はロータ１０５の腕部１０５ａが地板２の突部２ｋに当接している状態である。ロータ１０５に固定されるマグネット１０４はコイル１０２への無通電時にそれぞれの状態で回転位置が保持される。この様子を図１５，図１６を用いて説明する。
図１６はコギングトルクの様子を表すグラフであり，コイル１０２への通電がない状態でマグネット１０４の回転位置とマグネット１０４が外側磁極１０１ａにより吸引される様子を示している。
【００４０】
図１６において縦軸はマグネット１０４に作用するステータ１０１との間で発生する磁力を表し，横軸はマグネット１０４の回転位相を表す。Ｅ１点，Ｅ２点で示されるところは正回転しようとするとマイナスの力が働いて元の位置に戻ろうとし，逆回転しようとするとプラスの力が働いて元の位置に戻される。
【００４１】
すなわちマグネットと外側磁極の間の磁力の力によってマグネットがＥ１点或いはＥ２点に安定的に位置決めされようとするコギングの位置である。Ｆ１点，Ｆ２点，Ｆ３点はマグネットの位相が少しでもずれると前後のＥ１点あるいはＥ２点の位置に回転する力が働く不安定な均衡状態にある。コイル１０２への通電がなされない状態では，振動や姿勢の変化によってＦ１点，Ｆ２点，Ｆ３点に停止していることはなく，Ｅ１点あるいはＥ２点の位置で停止する。
【００４２】
有限要素法による数値シミュレーションの結果、着磁される極の角度と外側磁極のマグネットに対向する角度との関係により、コイルへの通電がない状態での外側磁極とマグネットとの吸引状態の様子が変化することが明らかになった。それによると、外側磁極のマグネットに対向する角度によりマグネットのコギング位置が変化する。すなわち、外側磁極のマグネットに対向する角度が所定値以下の場合にはマグネットの極の中心が外側磁極の中心に対向する位置で安定的に保持される。
【００４３】
この時、図１６で述べたＥ１点及びＥ２点がマグネットの極の中心が外側磁極の中心に対向する位置となる。逆に、外側磁極のマグネットに対向する角度が所定値以上の場合にはマグネットの極と極の境界が外側磁極の中心に対向する位置で安定的に保持される。この時、図１６で述べたＥ１点及びＥ２点がマグネットの極と極の境界が外側磁極の中心に対向する位置となる。その様子を図１７で詳しく説明する。
【００４４】
図１７は外側磁極の幅寸法とコギングトルク、マグネット寸法の関係を表すグラフである。図１７において、横軸は（マグネットの厚み／マグネット１極あたりの外周長さ）、縦軸は（外側磁極１つあたりのマグネットに対する対向角度／マグネット１極あたりの角度）である。
【００４５】
例えば、マグネットの外径寸法が１０ｍｍ、内径寸法が９ｍｍで極数が１６極の場合、マグネットの厚みは（１０−９）／２、磁極１極あたりの外周長さは１０×π／１６であるから横軸の（マグネットの厚み／マグネット１極あたりの外周長さ）の値は０．２５５となる。また、外側磁極１つあたりのマグネットに対する対向角度を１３度とすると、マグネット１極あたりの角度は２２．５度であるから縦軸の（外側磁極１つあたりのマグネットに対する対向角度／マグネット１極あたりの角度）は０．５７８となる。
【００４６】
図１７中の各ポイントはコギングトルクがほぼ０となるようなモデルの（外側磁極１つあたりのマグネットに対する対向角度／マグネット１極あたりの角度）をプロットしたものである。縦軸をY、横軸をXとするとこれらのポイントは直線Ｙ＝−０．３２７X＋０．６９の式で近似できる。Y＜−０．３２７X＋０．６９ならばマグネットの極の中心が外側磁極の中心に対向する位置で安定的に保持され、Y＞−０．３２７X＋０．６９ならばマグネットの極と極の境界が外側磁極の中心に対向する位置で安定的に保持される。
【００４７】
つまり、Y＜−０．３２７X＋０．６９は次のように表される。上記各外側磁極のマグネットに対する各対向角をＡ度、着磁極数をｎ、マグネットの外径寸法をD１、マグネットの内径寸法をD２とすると、A＜（２４８．４／ｎ）−５８．８６×（D１−D２）／（D１×π）となる。すなわち、A＜（２４８．４／ｎ）−５８．８６×（D１−D２）／（D１×π）となるように設定しておけばマグネットの極の中心が外側磁極の中心に対向する位置で安定的に保持される。
【００４８】
本実施例の場合，マグネット１０４の着磁極数ｎを１４，マグネット１０４の外径寸法Ｄ１を１１．２ｍｍ，マグネット１０４の内径寸法Ｄ２を９．８ｍｍと設定した。前記計算式によると対向角度Ａは１５．４度未満となり，本実施例ではこの条件にあてはまるように外側磁極を設定したのでマグネット１０４の極の中心が外側磁極の中心に対向する位置で安定的に保持されるようになっている。
【００４９】
コイル１０２への通電がない状態では，上記Ｅ１点およびＥ２点がマグネット１０４の極の中心が外側磁極１０１ａの中心に対向する位置に相当し，安定的にこの位置に停止する。しかし，この状態からコイル１０２へ通電をして外側磁極１０１ａを励磁しても，マグネット１０４に回転力が生じない。
【００５０】
そこで本実施例では図１５（ａ）のように地板２にストッパー部２ｊを設け，マグネット１０４に接着されたロータ１０５の腕部１０５ａとストッパー部２ｊに当接した状態でマグネット１０４の極の中心と外側磁極１０１ａの中心とのなす角度がθ1度になるように設定し，この状態からコイル１０２へ通電して外側磁極１０１ａを励磁すると，マグネット１０４に回転力が生じて，安定して起動が行われるようになっている。また，図１５（ｂ）の状態を図１６に当てはめると，Ｈ点の位置となる。
【００５１】
この位置でのコギングトルク（該マグネット１０４に作用する該ステータ１０１との間で発生する吸引力）はＴ１であり，これは，Ｅ２点に進もうとする回転方向にプラスの力（図１５において時計方向の力）が働くことになる。すなわち，該ロータ１０５の腕部１０５ａが該地板２のストッパー部５ｊに当接する位置の保持力がＴ２となる。よって，該コイル１０２への無通電時には該マグネット１０４は安定的にこの位置（図１５（ｂ）の位置）に停止する。
【００５２】
同様にして本実施例では図１５（ｂ）のように地板２にストッパー部２ｋを設け，マグネット１０４に接着されたロータ１０５の腕部１０５ａとストッパー部２ｋに当接した状態でマグネット１０４の極の中心と外側磁極１０１ａの中心とのなす角度がθ2度になるように設定し，この状態からコイル１０２へ通電して外側磁極１０１ａを励磁すると，マグネット１０４に回転力が生じて，安定して起動が行われる。また，図３（ｂ）の状態を図４に当てはめると，Ｈ点の位置となる。
【００５３】
この位置でのコギングトルク（該マグネット１０４に作用する該ステータ１０１との間で発生する吸引力）はＴ１であり，これは，Ｅ２点に進もうとする回転方向にプラスの力（図１５において時計方向の力）が働くことになる。すなわち，ロータ１０５の腕部１０５ａが該地板２のストッパー部２ｋに当接する位置の保持力がＴ１となる。よって，該コイル１０２への無通電時には該マグネット１は安定的にこの位置（図１５（ｂ）の位置）に停止する。
【００５４】
次に，該光量制御装置の該マグネット１０４の回転動作の様子を図１５で説明する。
上記のごとく，該コイル１０２への無通電時には該マグネット１０４は図１５（ａ）の位置で安定的に停止している。図１５（ａ）の状態から該コイル１０２に通電して，該ステータ１０１の外側磁極１０１ａをＳ極とし，該内側磁極１０１ｂをＮ極に励磁すると，該外側磁極１０１ａと該内側磁極１０１ｂの励磁により該マグネット１０４は回転方向の電磁力を受け，該マグネット１０４は時計方向にスムーズに回転し始める。そして回転角度がＫ度となる図１５（ａ）に示す状態になるタイミングで該コイル１０２への通電を断つ。図１５（ｂ）に示す状態は図１６におけるＨ点であるから上記のごとくコギング力Ｔ１により該マグネット１０４は安定的にこの位置を保持する。
【００５５】
ここで，該コイル１０２への通電を反転させ，該ステータ１０１の外側磁極１０１ａをＮ極とし，該内側磁極１０１ｂをＳ極に励磁すると，該外側磁極１０１ａと該内側磁極１０１ｂの励磁により該マグネット１０４は回転方向の電磁力を受け，該マグネット１０４は反時計方向にスムーズに回転し始める。そして回転角度がＫ度となる図１５（ａ）に示す状態になるタイミングで該コイル１０２への通電を断つ。図１５（ａ）に示す状態は図１６におけるＧ点であるから上記のごとくコギング力Ｔ２により該マグネット１０４は安定的にこの位置を保持する。
【００５６】
以上のように該コイル１０２への通電方向を切り換えることにより，図１５（ａ）の状態と図１５（ｂ）の状態とではマグネット１０４の回転角度がα度になるよう設定してある。
【００５７】
上記の構成からなる正逆回転可能なアクチュエータ１上のロータ１０５がα度正逆回転する様子を図４に示した。図３においてシャッタ羽根８および９はそれぞれ長穴８ａ，９ａがロータ１０５の出力ピン１０５ｆ，１０５ｇに摺動可能に嵌合し，丸穴８ｂ，９ｂはそれぞれ地板２の軸２ｂ，２ｃに回転可能に嵌合している。コイル１０２への通電方向を切り換えることにより，図３においてロータ１０５が時計周りに回転するとシャッタ羽根８，９は露出開口閉じ動作を行い，ロータ１０５が反時計周りに回転すると，シャッタ羽根８，９は露出開口開き動作を行う。
【００５８】
つまり，該マグネット１０４が図１５（ａ）の状態にある時，該シャッタ羽根７および８は最大露出開口部２ａを閉鎖する位置にあり，該マグネット１０４が図１５（ｂ）の状態にある時，該シャッタ羽根７および８は最大露出開口部２ａから退避する位置にある。さらに，コイル１０２への無通電時にはマグネット１０４と外側磁極１０１ａとの吸引力により，それぞれの位置が保持される。よって通電していなくても振動等によりシャッタ羽根８および９の位置が変化することはなく省エネルギになる。ここで，シャッタ羽根開き動作を行うロータ１０５の回転方向を正回転とする。
【００５９】
一方，ロータ１０５の正逆回転によって駆動レバー４が回動する。駆動レバー４は，互いに高さを変え第１の方向に延びる第１の突起部４ａ，第２の方向に延びる第２の突起部４ｂおよび回転カム５を駆動するための第３の方向に延びる第３の突起部４ｃが設けられている。また，地板２には二つの突部２ｄ，２ｅが駆動レバー４の第１の突起部４ａおよび第２の突起部４ｂにあわせて互いに違えた高さで設けられている。
【００６０】
これはロータ１０５上で駆動レバー４が回動する際，地板の突部２ｅは駆動レバー４の突起部４ａと当接し突起部４ｂとは当接しない高さに，また地板２の突部２ｄは駆動レバー４の突起部４ｂと当接し突起部４ａとは当接しない高さに設けられたものである。
【００６１】
前述のように駆動レバー４の突起部４ａ，４ｂ，４ｃおよび地板２の突部２ｄ，２ｅを設けた時の駆動レバー４の動きを図５の駆動レバー動作説明図を用いて説明する。図５は図４に示す方向から見たときの様子である。図５（ａ）の状態はシャッタ羽根８および９が閉じている時の状態であり，図５（ｂ）の状態はロータ１０５が正回転途中の状態であり，図５（ｃ）の状態はシャッタ羽根８および９が開いている状態であり，図５（ｄ）の状態はロータ１０５が逆回転途中の状態である。
【００６２】
ロータ１０５が図４（ａ）の状態から図４（ｂ）の状態まで回転すると，駆動レバー４は図５（ａ）から図５（ｃ）の状態まで回動する。図４（ａ）の駆動レバー４の姿勢を第１の姿勢，図４（ｂ）の駆動レバー４の姿勢を第２の姿勢とする。駆動レバー４は第１の姿勢では突起部４ａが地板２の突部２ｄには当接しない。図５（ａ）の状態からロータ１０５の正回転にともなって駆動レバー４は第１の姿勢を保ったまま図５（ｂ）の状態まで移動する。ロータ１０５の更なる回転により駆動レバー４の突起部４ａは地板２の突部２ｅに当接して駆動レバー４が第２の姿勢までロータ１０５上で４ｆの軸４ｄを中心に，図５中の反時計方向に回転を始め，図５（ｃ）のように第２の姿勢になった時点でロータ１０５の正回転を終える。
【００６３】
一方，図５（ｃ）の状態からロータ１０５が逆回転を始めると，駆動レバー４は第２の姿勢では突起部４ｂは地板２の突部２ｅには当接しないので第２の姿勢を保ったままロータ１０５の回転にともなって移動を始め，図５（ｄ）の状態になる。ロータ１０５のさらなる回転により，駆動レバー４の突起部４ｂは地板の突部２ｄに当接し，駆動レバー４は第１の姿勢までロータ１０５上で４ｆの軸４ｄを中心に図５中の時計方向に回転を始め，第１の姿勢になった時点でロータ１０５の逆回転を終え，図５（ａ）の状態に戻る。ロータ１０５の正逆回転により駆動レバー４は以上の動作を繰り返す。
【００６４】
上記の駆動レバー４の動きによる駆動レバー４の突起部４ｃの先端の軌跡をたどると図６の点線のようになる。前述のとおり駆動レバー４の突起部４ｃはロータ１０５の正回転時と逆回転時では同じ軌跡を通らない。
【００６５】
駆動レバー４が第１の姿勢から第２の姿勢に切り換わる際，および第２の姿勢から第１の姿勢に切り換わる際に駆動レバー４が所定量β度だけ回転するようにロータ１０５に突部１０５ｃ，１０５ｄを，駆動レバー４に突起部４ｅを設け，突起部４ｅが突部３ｄに当接している状態から突起部４ｅが突部３ｄに当接する状態まで回転可能になっている。
【００６６】
回転カム５は図６に示すように駆動レバー４が第１の姿勢から第２の姿勢に切り換わる時に回転カム５のカム部５ａに当接して回転し，駆動レバー４が第２の姿勢でロータ１０５が逆回転を始めて駆動レバー４が移動する時には接触しない位置に設けられる。駆動レバー４の１回の駆動による回転カム５の所定角度以上の回転防止および，駆動レバー４非接触時の回転カム５の位置保持のため，地板２の軸２ｆに回転可能に嵌合し図４の矢印Ａの方向に付勢されたクリックレバー６が設けられる。このクリックレバー６が請求項５における係止部材にあたる。
【００６７】
スペース縮小のためクリックレバー６の当接するカム面と駆動レバー４が当接するカム面とを共通の回転カム５に設ける。回転カム５のカム形状は駆動レバー４の１回の駆動によって所定角度γ度回転し，クリックレバー６の付勢に抗した回転を行いかつ所定角度回転した状態で係止できるように形成される。
【００６８】
図７，図８は光量調節装置の一部をＮＤフィルタ方向から見た斜視図であり，図７はＮＤフィルタ１１が最大露出開口部から退避した位置に，図８はＮＤフィルタ１１が最大露出開口部へ進入した位置にある時の図である。
【００６９】
回転カム５のカム部５ｂはカム部５ａに連動し，省スペース化のため同軸上に設けるとともにカム部５ａと一体で形成した。カム部５ｂは地板２の軸２ｇに回転可能に嵌合し，図７および８の矢印Ｂの向きに付勢された光量調節部材駆動レバー７が回転カム５の1回目の駆動で図７の第１の姿勢から図８の第２の姿勢に切り換わり，回転カム５の２回目の駆動で光量調節部材駆動レバー７が第２の姿勢から第１の姿勢に再び切り換わるように回転カム５のカム部５ｂが形成される。さらに，回転カム５ｂに対して光量調節部材駆動レバー７が安定して係止するように所定角度にくぼみを設けている。
【００７０】
１１は最大露出開口部に進退して光量を調節するＮＤフィルタであり，図３のようにＮＤフィルタ１１には地板２に設けられる軸２ｈに回転可能に嵌合する丸穴１１ｂおよび光量調節部材駆動レバーに摺動可能に嵌合する長穴１１ｃを備える。前述のように光量調節部材駆動レバー７は第１の位置と第２の位置に切り換わることができ，第１の位置から第２の位置に切り換わる時は最大露出開口部に対してNDフィルタ１１の進入動作を行い，第２の位置から第１の位置に切り換わる時には最大露出開口部に対してＮＤフィルタ１１の退避動作を行う。
【００７１】
軸押さえ３は回転カム５，クリックレバー６及び光量調節部材駆動レバー７の抜け止めをはたすとともに，地板２の軸２ｆ，２ｇ，及び回転カム５の軸を押さえる部材である。腕部３ａのくぼみに地板２の軸２ｇをかませ光量調節部材駆動レバー７を抜け止めし，軸穴３ｂに地板２の軸２ｆを嵌合させてクリックレバー６を，軸穴３ｃに回転カム５の軸５ｃを回転可能に嵌合されて回転カム５を抜け止めする。
【００７２】
フィルタ１０は中央に地板２の最大露出開口部２ａよりも大きな開口部１２ａが形成され，シャッタ羽根８および９を所定の隙間を持って間に挟み，シャッタ羽根８および９の軸方向の受けとなる。
【００７３】
羽根押さえ１２は中央に地板２の最大露出開口部２ａよりも大きな開口部１２ａが形成され，シャッタ羽根８，９，フィルタ１０，およびＮＤフィルタ１１を所定の隙間をもって間に挟み，地板２に固定され，シャッタ羽根８，９，フィルタ１０，およびＮＤフィルタ１１の軸方向の受けとなる。
【００７４】
以上，前記アクチュエータ１，前記ロータ１０５，前記地板２，前記軸押さえ３，前記駆動レバー４，前記回転カム５，前記クリックレバー６，前記光量調節部材駆動レバー７，前記シャッタ羽根８，９，前記フィルタ１０，前記ＮＤフィルタ１１，前記羽根押さえ１２により本実施例の光量調節装置が構成される。
【００７５】
前述の機構により，ＮＤフィルタ１１の最大露出開口部に対する進入及び退避動作は駆動レバー４により連動する回転カム５の駆動に伴って起こる。つまり，回転カム５を駆動していた駆動レバー４はアクチュエータ１の正回転時つまりシャッタ羽根開き動作時にのみ駆動を行い，アクチュエータ１の逆回転時つまりシャッタ羽根閉じ動作時には回転カム５を駆動せず，またこの時回転カム５に接触もしない。このことはアクチュエータ１の出力トルクの多くをシャッタ羽根の閉じ動作のために使うことができ，すなわちシャッタ羽根の閉じ速度の高速化に大きく貢献するものである。
【００７６】
また，駆動レバー４がアクチュエータのロータ１０５とともに回動し，回転の最後で地板の突部２ｅに当接して回転する際に回転カム５を駆動する。このことから駆動レバー４はアクチュエータの回転の最後，つまりアクチュエータの回転力が大きい時に回転カム５を駆動することができ，比較的小さいトルクのアクチュエータでもＮＤフィルタ１１を駆動することができるものである。
【実施例２】
【００７７】
図９は本発明の第２の実施例の光量調節装置の駆動レバー４の動作説明図である。前記実施例１と同じように設けられた前記地板２と，前記駆動レバー４があるとき，前記回転カム５は図９のように駆動レバー４が第１の姿勢で前記ロータ１０５が前記シャッタ羽根の開き方向に回転するときに突起部４ｃの当接により駆動され，該ロータ１０５が逆回転し第２の姿勢から第１の姿勢に切り換わる時には，該回転カム５に当接しない位置に設ける。
【００７８】
このことにより，駆動レバー４がアクチュエータ１のロータ１０５とともに回動し，地板２の突部２ｅに当接するまでの間で回転カム５を駆動する。このことから駆動レバー４が回転カム５を駆動するストロークを長くとることができ，回転カム５の形状と設置位置の自由度を増すことができる。回転カム５への駆動方法，および回転カム５からＮＤフィルタ１１への駆動方法は実施例１と同じなので，説明は省略する。
【実施例３】
【００７９】
図１０は本発明の第３の実施例の光量調節装置の駆動レバー４の動作説明図である。
図１０において，３４は駆動レバーで３４ａ，３５ｂの突起部は前記実施例１に記載の駆動レバー４の第１の突起部４ａ，第２の突起部４ｂと同様にして構成された突起部である。実施例１との違いは前記駆動レバー４に設けられていた突起部４ｃがついていないことである。実施例１で設けられていた駆動レバー４の腕部４ｃの前記回転カム５を駆動するという役割を駆動レバー３４の突起部３４ｂで行い，前記駆動レバー３４が第１の姿勢から第２の姿勢に切り換わるときに駆動を行うように回転カム５を設ける。図１０に突起部３４ａの先端の軌跡を一点鎖線で，突起部３４ｂの先端の軌跡を点線で示した。本実施例では回転カム５の駆動を駆動レバー３４の突起部３４ｂで行い，図の位置に回転カム５を設けた。
【００８０】
このことにより，駆動レバー３４において，回転カム５を駆動する突起部３４ｃと駆動レバー３４の動きを制御する突起部３４ｂとを兼用することによって駆動レバー構造のコンパクト化が図れる。回転カム５の駆動方法，および回転カム５からＮＤフィルタ１１への駆動方法は実施例１と同じなので説明は省略する。
【実施例４】
【００８１】
図１１は本発明の第４の実施例の光量調節装置の駆動レバー４の動作説明図である。
実施例３と同様の駆動レバー３４を用い，駆動レバー３４が第１の姿勢のまま前記ロータが正回転する際に駆動を行い，ロータ１０５が逆回転し第２の姿勢から第１の姿勢に切り換わる際には当接しない位置に回転カム５を設ける。本実施例では回転カム５の駆動を駆動レバー３４の突起部３４ａで行い，図１１の位置に回転カム５を設けて駆動を行うようにした。
【００８２】
前述のように，駆動レバー３４がアクチュエータ１のロータ１０５とともに回動し，地板２の突部２ｅに当接するまでの間で回転カム５を駆動する。このことから駆動レバー３４が回転カム５を駆動するストロークを長くとることができ，回転カム５の形状の自由度を増すことができる。さらに，駆動レバー３４において，回転カム５を駆動する突起部３４ｃと駆動レバー３４の動きを制御する突起部３４ａとを兼用することによって駆動レバー構造のコンパクト化が図れる。
【００８３】
回転カム５の駆動方法，および回転カム５からＮＤフィルタ１１への駆動方法は実施例１と同じなので説明は省略する。
【実施例５】
【００８４】
図１２および図１３は本発明の第５の実施例の光量調節装置の駆動レバー４および光量調節部材駆動手段５５の動作説明図である。図１２において５５はＮＤフィルタ５６を駆動するための出力ピンを設けた光量調節部材駆動手段である。実施例１〜４のように駆動レバー４あるいは駆動レバー３４の突起部によって所定角度だけ駆動され，その位置を制御する係止部材を設ける。駆動レバー４によって光量調節部材駆動手段５５が所定角度（本実施例では１８０度）回転し，該光量調節部材駆動手段に取り付けられた出力ピン５５ａも所定角度（本実施例では１８０度）回転すると，別体で設けられた軸５７を中心にしてＮＤフィルタ５６は回転し（図１３），露出開口に対する繰り入れ或いは繰り出し動作を行う。
【００８５】
このことにより，光量調節部材駆動手段５５は駆動レバー４あるいは３４によって回転駆動し，ＮＤフィルタ５６を駆動する出力ピンを一体で形成しているので，部品点数の削減によるコストダウン化と，コンパクト化が図れるものである。
【００８６】
ここで，図１，図２，図３，図４，図５，図１４の地板２が本発明の地板に相当し，図２，図３のシャッタ羽根８，９が本発明のシャッタ羽根に相当し，図２，図３，図７，図８のＮＤフィルタ１１および図１１，図１３のＮＤフィルタ５６が本発明の光量調節部材に相当し，図１，図２，図３，図４，図７，図８，図１４のロータ１０５が本発明のロータに相当し，図１，図２，図４，図５，図６，図７，図８，図９，図１０，図１２，図１３の駆動レバー４が本発明の駆動レバーに相当し，図１２，図１３のＮＤ駆動部材５５が本発明の光量調節部材駆動手段に相当し，図１，図２，図３，図４，図６，図７，図８，図９，図１０の回転カムが本発明の回転カムと光量調節部材駆動カムを一体で形成したものに相当し，図１，図２，図３，図４，図７，図８のクリックレバー６が本発明の係止部材に相当し，図２，図３，図４，図７，図８の光量調節部材駆動レバー７が本発明の光量調節部材駆動レバーに相当する。
【実施例６】
【００８７】
上記実施の形態においては，２枚のシャッタ羽根とＮＤフィルタを進退出する光量調節装置としたが，シャッタ羽根の枚数は１枚でも３枚以上でもかまわないし，本実施例においては光量調節部材にＮＤフィルタを用いたが，これは開口径をかえた絞り部材でもかまわない。
【００８８】
また，上記実施例の形態においては，光量調節部材は１枚で行ったが，第１の位置と第２の位置に移動する光量調節部材駆動レバー７をリング形状などに成形すれば，光量調節部材を複数枚で行う構成も可能である。
【００８９】
また，アクチュエータのマグネットとロータを別体で設けたが，ロータを一体で成形したプラスチックマグネットでもよい。
【図面の簡単な説明】
【００９０】
【図１】図１は本発明に係る第１の実施例の光量調節装置全体斜視図である。
【図２】図２は図１に示す光量調節装置の分解斜視図である。
【図３】図３は図１に示す光量調節装置の羽根駆動部分図である。
【図４】図４は図１に示す光量調節装置のマグネットロータと駆動レバーの回転の様子を示す図である。
【図５】図５は図１に示す光量調節装置の駆動レバーの回動動作を示す図である。
【図６】図６は図１に示す光量調節装置の駆動レバー先端の軌跡を示す図である。
【図７】図７は図１に示す光量調節装置のＮＤフィルタの最大露出開口部に対する退避動作の様子を示す図である。
【図８】図８は図１に示す光量調節装置のＮＤフィルタの最大露出開口部に対する進入動作の様子を示す図である。
【図９】図９は本発明に係る第２の実施例の光量調節装置の駆動レバーの回転の様子を示す図である。
【図１０】図１０は本発明に係る第３の実施例の光量調節装置の駆動レバーの回転の様子を示す図である。
【図１１】図１１は本発明に係る第４の実施例の光量調節装置の駆動レバーの回転の様子を示す図である。
【図１２】図１２は本発明に係る第５の実施例の光量調節装置の駆動レバーの回転の様子を示す図であり，光量調節部材の最大露出開口部に対する退避動作の様子を示す図である。
【図１３】図１３は図１２に示す光量調節装置の光量調節部材の光量調節部材の最大露出開口部に対する進入動作の様子を示す図である。
【図１４】図１４は図１に示す光量調節装置のアクチュエータの断面図である。
【図１５】図１５は図１に示す光量調節装置のアクチュエータのマグネットの回転動作の様子を示した図である。
【図１６】図１６はコギングトルクの様子をあらわすグラフである。
【図１７】図１７は外側磁極の寸法幅とコギングトルク，マグネット寸法の関係を表すグラフである。
【符号の説明】
【００９１】
１・・・アクチュエータ
１０１・・・ステータ
１０２・・・コイル
１０３・・・ボビン
１０４・・・マグネット
１０５・・・ロータ
１０５ａ・・・ロータ腕部
２・・・地板
２ａ・・・最大露出開口部
２ｄ，２ｅ・・・地板突部
３・・・軸押さえ
４・・・駆動レバー
４ａ，４ｂ，４ｃ・・・駆動レバー突起部
５・・・回転カム
５ａ・・・回転カムカム部
５ｂ・・・ＮＤ駆動カム部
６・・・クリックレバー
７・・・光量調節部材駆動レバー
８，９・・・シャッタ羽根
１０・・・フィルタ
１１・・・ＮＤフィルタ
１２・・・羽根押さえ
【図１】
2005141101.tif 000003
【図２】
2005141101.tif 000004
【図３】
2005141101.tif 000005
【図４】
2005141101.tif 000006
【図５】
2005141101.tif 000007
【図６】
2005141101.tif 000008
【図７】
2005141101.tif 000009
【図８】
2005141101.tif 000010
【図９】
2005141101.tif 000011
【図１０】
2005141101.tif 000012
【図１１】
2005141101.tif 000013
【図１２】
2005141101.tif 000014
【図１３】
2005141101.tif 000015
【図１４】
2005141101.tif 000016
【図１５】
2005141101.tif 000017
【図１６】
2005141101.tif 000018
【図１７】
2005141101.tif 000019